(57)【要約】【課題】部品の共通化を図れ、組立容易で器具トータルのコストを低減し、交換・補修用に提供しやすく、かつ今後予想される規格整合にも対応可能な点灯装置を提供する。【解決手段】プリント基板１が点灯回路用電子部品４を実装している。金属ケース２はプリント基板１を配置する底壁５を有し、底壁５の周囲に立設されてプリント基板１の外周を囲む側壁６を有し、側壁６の内側にプリント基板１を収納する。カバー３は金属ケース２の底壁５に対向する開口９を覆う。側壁６はプリント基板１から離れるように外方に突出した凸部７を有し、凸部７に電源端子台取付部８を設けている。凸部７は金属ケース２の底壁５と連続している。カバー３の側板１５は凸部７を側板１５よりも外側に突出させる切欠き開口１６を有し、凸部７の内側に重なる補強部１５ａを有する。  【選択図】        図１
2006331857.tif 000002
【特許請求の範囲】
【請求項１】
点灯回路用電子部品を実装したプリント基板と、このプリント基板を配置する底壁を有し前記底壁の周囲に立設されて前記プリント基板の外周を囲む側壁を有し前記側壁の内側に前記プリント基板を収納する金属ケースと、前記金属ケースの前記底壁に対向する開口を覆うカバーとを備え、前記側壁は前記プリント基板から離れるように外方に突出した凸部を有し、前記凸部に電源端子台取付部を設けた点灯装置。
【請求項２】
前記カバーの側板は前記凸部を前記側板よりも外側に突出させる開口を有する請求項１記載の点灯装置。
【請求項３】
前記凸部は前記金属ケースの底壁と連続し、前記カバーの側板は前記凸部の内側に重なる補強部を有する請求項２記載の点灯装置。
【請求項４】
前記カバーは前記電源端子台取付部に取付けられた電源端子台に当接する庇状の突出部を有する請求項２記載の点灯装置。
【請求項５】
前記凸部は係合部を有し、前記補強部は前記係合部に係合する被係合部を有する請求項３記載の点灯装置。
【請求項６】
前記金属ケースは前記側壁および前記底板にまたがる切欠きを有し、前記カバーおよび前記金属ケースはそれぞれ照明器具の器具本体に固定するための固定部を有し、前記カバーの少なくとも一部の前記固定部は前記切欠きに位置する請求項１記載の点灯装置。
【請求項７】
前記カバーの前記固定部と前記金属ケースの前記固定部は互いに重ならないように配置されている請求項６記載の点灯装置。
【請求項８】
前記カバーは照明器具外殻を兼ねるものである請求項１記載の点灯装置。
【発明の詳細な説明】
【技術分野】
【０００１】
この発明は、点灯回路用の電子部品を実装したプリント基板を有する放電灯点灯装置などの点灯装置に関するものである。
【背景技術】
【０００２】
第１の従来例（例えば特許文献１参照）は、カバーを兼ねたケース内に放電灯点灯回路用電子部品を実装したプリント基板を内蔵して器具内用安定器を構成し、これをさらに器具構造体例えば器具本体に固定し安定器カバーで被覆している。
【０００３】
第２の従来例は、プリント基板を用いた点灯回路部を器具本体に絶縁板を介して固定し、充電部保護カバーで被覆している。
【特許文献１】実開平２−４７７２０号公報
【発明の開示】
【発明が解決しようとする課題】
【０００４】
第１の従来例は、器具内用安定器がケースで覆われており、これだけで交換可能であるが、器具内用として使用されるため器具本体と安定器カバーの双方でさらに器具外殻を形成しており、感電保護に対して構造的に二重の保護を行っており、結果的に照明装置の全体からみてコストアップにつながっていた。
【０００５】
第２の従来例は、点灯回路部としてケース構造がないため安価となるが、点灯回路の故障などの際の交換・補修用としてケースのないまま市場に提供することは、感電保護や電子部品保護の観点から困難である。
【０００６】
そこで、第１の提案例の点灯装置１００は、図１６に示すように、点灯回路部となる電子部品を実装したプリント基板を充電部保護するため、プリント基板をケースに収納し、ケースの開口をカバーで被覆したものであり、点灯装置１００を埋め込み型照明器具１０３の天板１０１に取付けるとともに、点灯装置１００の近傍に電源端子台１０２を取付けている。照明器具１０３の器具本体１０４は筒形で側部に天井裏に係止する係止ばね１０５を有し、上端部にランプソケット１０６および天板１０１を設けている。
【０００７】
第２の提案例を図１７から図１９に示す。点灯装置１００は電子部品を実装したプリント基板１１０、プリント基板１１０を収納したケース１１１、ケースを被覆するカバー１１２で構成され、カバー１１２の側面に電源端子台１０２を取付けている。その他、図１６と共通する部分に同一符号を付している。
【０００８】
これらの提案例によれば、第１の従来例と比べてコストを低下でき、第２の従来例と比べて交換・補修に利用しやすい。
【０００９】
しかし、電源端子台は基礎絶縁レベルの絶縁が破壊した場合、地絡や感電の危険性がある。感電防止のため、金属または樹脂製の保護カバーを設けなければならないが、端子台専用の保護カバーを設けると組立性が悪くなり、部品点数が増加し、コストアップになる。提案例のようにカバーの側面に電源端子台を設けたものでも、点灯装置に保護カバーを取付ける構造を有していないため、器具本体などの器具構成部材に保護カバーの取付部が必要となり、また器具形態ごとにカバー構造が異なったものとなるので、部品の共通化が図れない。
【００１０】
したがって、この発明の目的は、部品の共通化を図れ、組立容易で器具トータルのコストを低減し、交換・補修用に提供しやすく、かつ今後予想される規格整合にも対応可能な点灯装置を提供することである。
【課題を解決するための手段】
【００１１】
この発明の点灯装置は、プリント基板が点灯回路用電子部品を実装している。金属ケースはプリント基板を配置する底壁を有し、前記底壁の周囲に立設されて前記プリント基板の外周を囲む側壁を有し、前記側壁の内側に前記プリント基板を収納する。カバーは前記金属ケースの前記底壁に対向する開口を覆う。前記側壁は前記プリント基板から離れるように外方に突出した凸部を有し、前記凸部に電源端子台取付部を設けている。
【００１２】
上記構成において、前記カバーの側板は前記凸部を前記側板よりも外側に突出させる開口を有する。
【００１３】
上記構成において、前記凸部は前記金属ケースの底壁と連続し、前記カバーの側板は前記凸部の内側に重なる補強部を有する。
【００１４】
上記構成において、前記カバーは前記電源端子台取付部に取付けられた電源端子台に当接する庇状の突出部を有する。
【００１５】
上記構成において、前記凸部は係合部を有し、前記補強部は前記係合部に係合する被係合部を有する。
【００１６】
上記構成において、前記金属ケースは前記側壁および前記底板にまたがる切欠きを有し、前記カバーおよび前記金属ケースはそれぞれ照明器具の器具本体に固定するための固定部を有し、前記カバーの少なくとも一部の前記固定部は前記切欠きに位置する。
【００１７】
上記構成において、前記カバーの前記固定部と前記金属ケースの前記固定部は互いに重ならないように配置されている。
【００１８】
上記構成において、前記カバーは照明器具外殻を兼ねるものである。
【発明の効果】
【００１９】
この発明の点灯装置によれば、点灯回路部となるプリント基板は金属ケースに保持されたブロックの状態で取り扱い可能となり、金属ケースを介してプリント基板を器具本体に固定した照明器具を提供することができる。このため、従来の器具内用安定器の場合のような感電保護について必要以上の構造とならずにコスト低減ができる。金属ケースを用いたことでプリント基板から器具本体への放熱作用が良くなり、特別な放熱板を必要とせず小型化・低コスト化が可能であり、また金属ケースへの点灯回路部の接地導通を確実にできる。
【００２０】
電源端子台を金属ケースに取付け可能になることにより、電源端子台および金属ケースの開口をともに覆うカバーを用いることができ、電源端子台のみを覆うカバーを別途装着する必要性がなく、また不必要に大きなカバーを使用する必要もないので、小型化、低コスト化および部品の共通化が可能となる。
【００２１】
金属ケースに凸部を設け、凸部に電源端子台取付部を設けることにより、電源端子台の例えばフック状の爪や取付ねじなどの取付手段が、プリント基板に実装されてた電子部品に干渉するのを防止することができる。また金属ケースの一部のみに凸部を設けているため、点灯装置の小型化が可能になる。
【００２２】
電源端子台にカバーを必要としない場合、電源端子台取付部の凸部がカバーの側面よりも外側になるようにすると、カバーの小型化が可能となる。
【００２３】
電源端子台取付部の凸部を金属ケースの底板と連続しつながるようにすると、電源端子台が取付けられたときに、電源線の接続や引き回し時の応力による電源端子台取付部の変形を抑制し、電源端子台の取付強度も確保できる。
【００２４】
輸送時の梱包状態はダンボール等を略金属ケースの形状に抜いて固定すると、振動・衝撃等による電源端子台取付部の変形を抑制できる。
【００２５】
カバーに凸部に重なる補強部を設けると、電源端子台取付部に電源端子台を取付けるときや、照明器具施工時等の応力により変形し、金属ケースの内側に倒れ込んだりする不具合を抑制できる。また補強部を設けない場合に比べてカバーの側板自体の引っ張り強度も確保できるため、金属ケースとカバーの組み合わせで外方向および内方向の引っ張りに対し十分な強度を確保できる。
【００２６】
カバーの庇状の突出部が電源端子台取付部に取付けられた電源端子台に当接することにより、電源端子台を突出部に支持させて電源端子台のぐらつきを抑制し、電源線接続時や照明器具施工時等に電源端子台取付部に印加される引っ張り力に対する耐久力を向上させることができる。
【００２７】
凸部に係合部を設け、補強部に係合部に係合する被係合部を設けると、電源端子台のぐらつきを抑制し、電源線接続時や照明器具施工時等に電源端子台取付部に印加される引っ張り力に対する耐久力を向上させることができる。
【００２８】
金属ケースは側壁および底板にまたがる切欠きを有し、カバーおよび金属ケースはそれぞれ照明器具本体に固定するための固定部を有し、前記カバーの少なくとも一部の前記固定部は前記切欠きに位置するように構成すると、金属ケースを器具本体に固定するときに金属ケースに干渉することなく、カバーを確実に取付けることができる。
【００２９】
カバーの固定部と金属ケースの固定部は互いに重ならない位置に例えば略千鳥状に設けられると、器具本体に固定するときに金属ケースおよびカバーが干渉することなく少ない固定個所で器具本体への取付けが可能となる。
カバーが照明器具の外殻を兼ねているので、コストダウンができる。
【発明を実施するための最良の形態】
【００３０】
この発明の第１の実施の形態を図１から図４により説明する。すなわち、この放電灯点灯装置は、図１７の埋め込み型照明器具の天板に取付けられるものである。この放電灯点灯装置は、プリント基板１を金属ケース２に収納し、カバー３で被覆している。
【００３１】
プリント基板１は点灯回路用電子部品４を実装して点灯回路部を形成し、全体として安定器を構成する。
【００３２】
金属ケース２は例えばアルミニウム製であり、底板５の周囲に側壁６を立設した箱形をなし、側壁６でプリント基板１の外周を囲むように底板５にプリント基板１を配置収納している。このとき、金属ケース２の相対向する一対の側壁６の内面の複数個所にプリント基板１を固定するための例えば半月だぼなどの突起（図示せず）をそれぞれ上下に設けてプリント基板１を上下の突起間に差し込み装着し、下側の突起でプリント基板１の落ち込みを防止し、上側の突起でプリント基板１の浮きを防止している。
【００３３】
側壁６の１つはプリント基板１から離れるように内側から外側に叩き出された凸部７を形成している。このとき凸部７は金属ケース２の底壁５および側壁６と途切れることなく一体につながっており、これにより強度の確保を図っている。ただし、凸部７の両側の側壁６に連接する部分の上端に切欠き１０を形成している。凸部７には電源端子台取付部８として複数の取付孔８ａと係止孔８ｂを形成している。
【００３４】
また金属ケース２は側壁６および底壁５にまたがる切欠き１１をコーナ部の１つに形成し、プリント基板１が切欠き１１からはみ出さないようにプリント基板１に切欠き１２を形成している。金属ケース２の切欠き１１に隣接する一方のコーナ部の側壁６を除去して底壁５に例えば孔により固定部１４を形成するとともに、切欠き１１および固定部１４の間の側壁６と対向する側壁６の略中央部を外方に切り倒して例えば孔のある固定部１３を形成している。
【００３５】
電源端子台取付部８には取付具により電源端子台１９が取付けられ、電源端子台１９と金属ケース２内のプリント基板１上の端子４ａ、４ｂの一方とが電線２０で接続される。２１は電源端子台の電線挿入孔である。
【００３６】
カバー３は例えば鋼板製であり、金属ケース２の側壁６により形成された底壁５に対向する開口９および側壁６の外周を覆っている。カバー３の側板１５は側壁６の外面に沿っており、凸部７を外部に突出させる切欠き開口１６を形成している。凸部７は切欠き開口１６より突出してカバー３の側板１５より外側になる。このとき切欠き開口１６の奥縁部は側壁６と凸部７の間の切欠き１０に嵌合し、凸部７の内側に重なる補強部１５ａを形成している。これにより電源端子台１９が取付けられたとき電源線２０の接続時等の応力により、凸部７の上部が金属ケース２の内側に倒れ込むことにより、絶縁距離の不足や電源端子台１９の外れ等の不具合を抑制できる。補強部１５ａには最上位の取付孔８ａに整合する取付孔１５ｂを形成し、取付具で電源端子台１９を端子台取付部８に取付けるとき取付孔１５ｂにも取付具を通し補強部１５ａを凸部７と一体に連結している。カバー３の側板１５のプリント基板１の端子４ａ、４ｂに対応する個所にも電線２０等を接続するための切欠き開口１８を形成している。またカバー３の固定部１７は一対角位置にそれぞれ形成され、その一方は金属ケース２の切欠き１１に位置する。金属ケース２の固定部１３、１４とカバー３の固定部１７とは互いに重ならない略千鳥配置となって、器具本体の天板に個別に取付けられる。これによりカバー３を器具本体に取付ける際に金属ケース２が干渉することなく独立に取付けることができる。
【００３７】
この発明の第２の実施の形態を図５により説明する。すなわち、この放電灯点灯装置は、第１の実施の形態において、カバー３に保護部材取付部２３を丸孔により形成し、これに取付具により金属製の保護部材２４を取付けている。保護部材２４は、電源端子台１９の上面を覆う天部２４ａと電源端子台１９の一側面を覆う側部２４ｂとを有する。
【００３８】
この発明の第３の実施の形態を図６により説明する。すなわち、この放電灯点灯装置は、第２の実施の形態の保護部材２４を合成樹脂等の絶縁材料により形成し、角孔により形成した保護部材取付部２３に取付けるものである。この保護部材２４は電源端子台１９の上面および両側面を被覆する天部２４ａおよび両側部２４ｂを有し、両側部２４ｂの一方には電線挿通用の切欠き２４ｃを形成している。
【００３９】
この発明の第４の実施の形態を図７および図８により説明する。すなわち、この放電灯点灯装置は、カバー３が金属ケース２および電源端子台１９の全体を被覆するものである。このカバー３は電源接続部用と２つの二次側線接続部用の３つの切欠き開口３ａ、３ｂが電線２０等を挿通するために形成されている。図８は照明器具の器具本体２５に取付ける状態を示し、電源端子台１９を取付けた金属ケース２を器具本体２５に取付け、これらをカバー３で覆いカバー３を器具本体２５に取付けている。このときカバー３は点灯装置外殻および照明器具外殻を兼ねる。
【００４０】
図９から図１５はその他の実施の形態を示す。図９は第４の実施の形態のカバー３の切欠き開口３ａ、３ｂの間の側壁部分３ｄを除去したものである。
【００４１】
図１０は、カバー３の電線２０すなわち二次側線接続側の切欠き開口３ｂをなくして端子４ａ、４ｂおよび電線２０を覆い、電源線接続部の切欠き開口３ａと端子４ｂに対応する開口３ｅのみ形成している。
【００４２】
図１１は凸部７に外方向または内方向に突出する突条例えばリブ２６を形成している。リブ２６は水平方向に形成し、高さを金属ケース２の板厚とリブ２６の高さの和が電源端子台１９の取付推奨板厚以下となるように設定する。これにより、凸部７の強度を確保し、電源端子台１９の取付けに支障をきたさず、電源端子台１９の不要なぐらつきを抑制でき、電源端子台１９の耐こじり性能を強化でき、その取付強度を確保できる。
【００４３】
図１２は図１１の実施の形態において、リブ２６を垂直方向に形成した形態である。  
【００４４】
図１３はカバー３の天面から延びる庇状の突出部２７をカバー３に一体に形成した形態である。この突出部２７は電源端子台１９の上面に当接するもので、第２の実施の形態および第３の実施の形態の保護部材２４の機能も兼ねており、突出部２７で電源端子台１９のぐらつきを抑制するとともに、電源端子台１９の取付強度を確保することができる。例えば電源端子台１９の電源線取付時や配線引き回し時に電源端子台１９に応力が加わった時、電源端子台１９に突出部２７が当接することにより、金属ケース２やカバー３と電源端子台１９との間に加わる荷重の支点が電源端子台１９が外れにくい方向にずれて電源端子台１９の外れを防止することができる。
【００４５】
図１４は第１の実施の形態の補強部１５ａに凸部７を突き抜けて先端が凸部７よりも外側に位置する突起２９を設けている。凸部７には突起２９を貫通させる穴やスリット（いずれも図示せず）を形成している。突起２９は別部品を補強部１５ａに取付けることができるが、補強部１５ａを切り起こして形成することもできる。また突起２９の先端は電源端子台１９に非接触または当接することができる。突起２９により電源端子台１９のぐらつきを抑制できるとともに図１３の場合と同様な働きで、電源端子台１９の取付強度を確保することができる。
【００４６】
図１５は凸部７に係合部３０を設け、カバー３の補強部１５ａに被係合部３１を設けている。係合部３０は例えば電源端子台１９を取付けても干渉しない高さを有する突起を内側からたたき出して内面に凹みを形成しており、被係合部３１はその凹みに嵌合する例えば突部により形成している。この構成で金属ケース２にカバー３を被せて被係合部３１を係合部３０に係合することにより、電源端子台取付部８に電源端子台１９を取付けたときに電源端子台１９のぐらつきを抑制し、電源線装着時の応力による電源端子台取付部８の変形を抑制し、さらに金属ケース２がアルミニウム製のとき抑制しきれない応力を鋼板製のカバー３で抑制できる。
【００４７】
さらに、別の実施の形態として、金属ケース２およびカバー３の一方に例えば穴などのカバー係止部を形成し、他方に例えば爪などの係止部を形成し、カバー係止部に係止部をかしめなどにより係止して、カバー３を金属ケース２に取付けることができる。これによりプリント基板１を含む金属ケース２とカバー３を一体化構造とすることができ、補修・交換用として利便性を向上することができる。
【００４８】
なお、補強部１５ａは凸部７の表側に重なることは可能である。
【図面の簡単な説明】
【００４９】
【図１】（ａ）はこの発明の第１の実施の形態の放電灯点灯装置のカバーを開いた状態の金属ケースの斜視図、（ｂ）はカバーの斜視図、（ｃ）は金属ケースの固定部を示す概略平面図、（ｄ）はカバーの固定部を示す概略平面図である。
【図２】カバーを閉じた状態の斜視図である。
【図３】電源端子台を取付けた状態の金属ケースの斜視図である。
【図４】図３において、カバーを閉じた状態の斜視図である。
【図５】（ａ）は第２の実施の形態の電源端子台用の保護部材を設けた斜視図、（ｂ）は保護部材取付部を有するカバーの斜視図である。
【図６】（ａ）は第３の実施の形態の電源端子台用の保護部材を設けた斜視図、（ｂ）は保護部材取付部を有するカバーの斜視図である。
【図７】第４の実施の形態の斜視図である。
【図８】放電灯点灯装置の取付けを示す説明図である。
【図９】その他の実施の形態の放電灯点灯装置の斜視図である。
【図１０】さらに他の実施の形態の放電灯点灯装置の斜視図である。
【図１１】さらに実施の形態の電源端子台取付部の斜視図である。
【図１２】さらに実施の形態の電源端子台取付部の斜視図である。
【図１３】さらに実施の形態のカバーの概略平面図である。
【図１４】さらに実施の形態のカバーの概略斜視図である。
【図１５】（ａ）はさらに実施の形態のカバーを外した状態の斜視図、（ｂ）は電源端子台取付部の平面図である。
【図１６】第１の提案例の埋め込み型照明器具の略半断面側面図である。
【図１７】第２の提案例の埋め込み型照明器具の略半断面側面図である。
【図１８】その放電灯点灯装置のカバーを外した状態の分解斜視図である。
【図１９】放電灯点灯装置のカバーを閉じた状態の斜視図である。
【符号の説明】
【００５０】
１    プリント基板
２    金属ケース
３    カバー
４    電子部品
５    底板
６    側壁
７    凸部
８    電源端子台取付部
９    開口
１０    切欠き
１３、１４    固定部
１５ａ  補強部
１５    側板
１６    切欠き開口
１７    固定部
１９    電源端子台
２７    突出部
【図１】
2006331857.tif 000003
【図２】
2006331857.tif 000004
【図３】
2006331857.tif 000005
【図４】
2006331857.tif 000006
【図５】
2006331857.tif 000007
【図６】
2006331857.tif 000008
【図７】
2006331857.tif 000009
【図８】
2006331857.tif 000010
【図９】
2006331857.tif 000011
【図１０】
2006331857.tif 000012
【図１１】
2006331857.tif 000013
【図１２】
2006331857.tif 000014
【図１３】
2006331857.tif 000015
【図１４】
2006331857.tif 000016
【図１５】
2006331857.tif 000017
【図１６】
2006331857.tif 000018
【図１７】
2006331857.tif 000019
【図１８】
2006331857.tif 000020
【図１９】
2006331857.tif 000021